【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
デジタル地図システムをソース文書と統合する方法であって、
実在するウェブページを受信することと、
前記ウェブページ内の位置説明を検出することと、
前記位置説明が位置記録に合っているかどうかを検証することと、
前記検出した位置説明を、前記位置説明の描画にリンクするハイパーリンクに置換することと、
検証結果に従って前記ウェブページを表示すること
を具備する方法。
【請求項２】
前記検出した位置説明を前記ハイパーリンクに置換することは、前記検証結果に依存して行われることを特徴とする、請求項１の方法。
【請求項３】
前記検証結果に従って前記ウェブページを表示することは、
成功した検証結果に応じて前記ハイパーリンクを表示することを含む、請求項１又は２の方法。
【請求項４】
前記検証結果に従って前記ウェブページを表示することは、
失敗した検証結果に応じて前記ハイパーリンクを表示しないことを含む、請求項１又は２の方法。
【請求項５】
前記位置説明が位置記録に合っているかどうかを検証することは、前記位置説明をジオコード化することを含む、請求項１〜４のいずれかに記載の方法。
【請求項６】
前記ウェブページ内の基本設定を検出することと、
前記基本設定を実施すること、
を更に具備する請求項１〜５のいずれかに記載の方法。
【請求項７】
前記位置説明の描画が、該位置の地図を含む、請求項１〜６のいずれかに記載の方法。
【請求項８】
デジタル地図システムをソース文書と統合する方法であって、
ウェブページ用の実在する電子的ソース文書を入力することと、
該ソース文書内の位置説明を検出することと、
前記位置説明が位置記録に合っていることを検証することと、
前記位置説明の描画にリンクするハイパーリンクを、前記ソース文書に統合することと、
前記ソース文書に従って前記ウェブページを表示すること
を具備する方法。
【請求項９】
前記位置説明が位置記録に合っていることを検証することは、前記ハイパーリンクを前記ソース文書に統合することの後に行われ、更に、
前記位置説明が位置記録に合っていないことを判定することと、
前記ソース文書から前記ハイパーリンクを削除すること、
を含む請求項８の方法。
【請求項１０】
前記位置説明の描画にリンクするハイパーリンクを、前記ソース文書に統合することは、前記ハイパーリンクを含むメニューを提供することを含む、請求項８又は９の方法。
【請求項１１】
前記メニューが、前記位置説明と関連する移動方向にリンクするハイパーリンクを備える、請求項１０の方法。
【請求項１２】
前記ソース文書内の基本設定を検出することと、
前記基本設定を実施すること、
を更に具備する請求項８〜１１のいずれかに記載の方法。
【請求項１３】
前記ハイパーリンクを前記ソース文書に統合することは、前記位置説明が位置記録に合っていることの検証に依存して行われることを特徴とする、請求項８の方法。
【請求項１４】
前記位置説明が位置記録に合っていることを検証することは、前記位置説明をジオコード化することを含む、請求項８〜１３のいずれかに記載の方法。
【請求項１５】
前記位置記録の一部を用いて、前記ハイパーリンクを作成すること、
を更に具備する請求項８〜１４のいずれかに記載の方法。
【請求項１６】
ソース文書内の位置説明を検出することは、ユーザーから選択された位置説明を受信することを含む、請求項８〜１５のいずれかに記載の方法。
【請求項１７】
ソース文書内の位置説明を検出すること、及び前記位置説明が位置記録に合っていることを検証することは、
前記ソース文書と関係付けられるリソースロケータを、アーカイブ計算装置に送信することと、
前記アーカイブ計算装置から位置記録を受信すること、
を含む請求項８〜１６のいずれかに記載の方法。
【請求項１８】
デジタル地図システムとともに用いるための装置であって、
ウェブページ用の電子的ソース文書を入力するための手段と、
ソース文書内の位置説明を検出するための手段と、
前記位置説明が位置記録に合っていることを検証するための手段と、
前記位置説明の描画にリンクするハイパーリンクを、前記ソース文書に統合するための手段と、
前記ソース文書に従って前記ウェブページを表示するための手段と
を備える装置。
【請求項１９】
前記位置説明が位置記録に合っていることを検証するための前記手段が、
前記位置説明をサーバに送信するための手段と、
前記サーバから応答を受信するための手段と、
前記サーバからの前記応答に基づいて、前記位置説明が位置記録に合っていることを判定するための手段と、
を備える請求項１８の装置。
【請求項２０】
前記位置説明の前記描画が、該位置説明の地図、該位置説明への第１移動方向のセット、該位置説明からの第２移動方向のセット、該位置説明のテキスト記述、または移動方向の前記第１または第２セットの地図、の内の少なくとも一つを備える、請求項１８又は１９の装置。
【請求項２１】
前記位置説明の描画にリンクするハイパーリンクを、前記ソース文書に統合するための前記手段が、前記ハイパーリンクを、ウェブブラウザーメニューまたはブラウザーアシスタントメニューに統合するための手段を更に備える、請求項１８〜２０のいずれかに記載の装置。
【請求項２２】
前記位置説明の描画にリンクするハイパーリンクを、前記ソース文書に統合するための手段が、前記位置説明を前記ハイパーリンクに置換する手段を備える、請求項１８〜２１のいずれかに記載の装置。
【請求項２３】
デジタル地図システムをソース文書と統合するために使用されるコンピュータプログラムを記憶したコンピュータ読み取り可能な記憶媒体であって、コンピュータに、
ウェブページ用の電子的ソース文書を入力する手順と、
前記ソース文書内の位置説明を検出する手順と、
前記検出した位置説明を、前記位置説明の描画にリンクするハイパーリンクと置換する手順と、
前記位置説明が位置記録に合っているかどうかを検証する手順と、
検証結果に従って前記ウェブページを表示する手順と、
を実行させるための前記コンピュータプログラムを記憶してなることを特徴とする記憶媒体。
【請求項２４】
デジタル地図システムをソース文書と統合するために使用されるコンピュータプログラムを記憶したコンピュータ読み取り可能な記憶媒体であって、コンピュータに、
ウェブページ用の電子的ソース文書を入力する手順と、
該ソース文書内の位置説明を検出する手順と、
前記位置説明が位置記録に合っていることを検証する手順と、
前記位置説明の描画にリンクするハイパーリンクを、前記ソース文書に統合する手順と、
前記ソース文書に従って前記ウェブページを表示する手順と、
を実行させるための前記コンピュータプログラムを記憶してなることを特徴とする記憶媒体。
【請求項２５】
前記ソース文書をユーザーに出力する前に、デジタル地図システムをソース文書に統合するための装置であって、
ウェブページ用の電子的ソース文書を入力するための手段と、
前記ソース文書内の位置説明を検出するための手段と、
前記位置説明が位置記録に合っていることを検証するための手段と、
前記位置説明の描画にリンクするハイパーリンクを、前記ソース文書に統合するための手段と、
前記統合したハイパーリンクおよび前記ソース文書を出力するための手段と、
を備える装置。
【請求項２６】
前記ハイパーリンクを前記ソース文書に統合するための手段は、前記位置説明が位置記録に合っていることを検証するための手段が実在の位置を同定することに依存して統合を行うことを特徴とする、請求項２５の装置。
【請求項２７】
前記位置説明が位置記録に合っていることを検証するための前記手段が、前記位置説明および信頼度識別子をサーバに送信するための手段を備える、請求項２５又は２６の装置。
【請求項２８】
前記位置説明の描画にリンクするハイパーリンクを、前記ソース文書に統合するための前記手段が、前記ハイパーリンクを含むメニューを提供するボタンを備える、請求項２５〜２７のいずれかに記載の装置。
【請求項２９】
前記ソース文書内の位置説明を検出するための前記手段が、前記ソース文書と関係付けられるリソースロケータをサーバに送信するための手段を備える、請求項２５〜２８のいずれかに記載の装置。
【請求項３０】
前記サーバがアーカイブ計算装置を備える、請求項２９の装置。
【請求項３１】
前記ソース文書内の位置説明を検出するための前記手段、および前記位置説明の描画にリンクするハイパーリンクを、前記ソース文書に統合するための前記手段が、ブラウザーアシスタントを備える、請求項２５〜３０のいずれかに記載の装置。